(57)【要約】【課題】包装箱の内部に配置される緩衝包装材において、緩衝性能を十分に保持した上で、省資源化が図られた緩衝包装材を提供する。【解決手段】緩衝包装材１は、矩形板状部材の対向する二辺の箇所を上方に折り曲げることにより形成した略垂直な側壁１０と、この側壁１０に直交する二辺の箇所を、前記矩形板状部材の略中央部から切り起こしにて上方に折り曲げ、さらに外側に向かって折り曲げることにより形成した緩衝部２０とを備える。これにより、緩衝部２０を形成するに際し、包装箱１００の底面に相当する部分に対して、外側に延びる板状部材を大幅に低減することができる。したがって、包装箱１００内に被包装物を整然と収容することができ、且つ搬送時の衝撃から保護することができる緩衝部２０を１枚の板状部材から形成する場合に、板状部材に掛かる資源やコストを大幅に抑制することが可能である。【選択図】図１
2008265842.tif 000002
【特許請求の範囲】
【請求項１】
矩形板状部材の対向する二辺の箇所を上方に折り曲げることにより形成した略垂直な側壁と、この側壁に直交する二辺の箇所を、前記矩形板状部材の略中央部から切り起こしにて上方に折り曲げ、さらに外側に向かって折り曲げることにより形成した緩衝部とを備えることを特徴とする緩衝包装材。
【請求項２】
前記緩衝部は、垂直断面形状がコ字状をなすことを特徴とする請求項１に記載の緩衝包装材。
【請求項３】
前記緩衝部は、筒状をなすことを特徴とする請求項１に記載の緩衝包装材。
【請求項４】
前記緩衝部は、前記側壁に向かって突出する係止片を備え、側壁は、この係止片を保持する係合孔を備えることを特徴とする請求項１〜請求項３のいずれか１項に記載の緩衝包装材。
【請求項５】
対向する前記緩衝部の間において、対向する前記側壁の間に架け渡す形で連結された底面部を備えることを特徴とする請求項１〜請求項４のいずれか１項に記載の緩衝包装材。
【発明の詳細な説明】
【技術分野】
【０００１】
本発明は、被包装物である物品を包装するための包装箱の内部に配置される緩衝包装材に関する。
【背景技術】
【０００２】
画像形成装置や家庭用電化製品、そしてそれらを構成する機能部材や電子部品等の物品は、通常段ボールなどで構成される包装箱によって包装され、出荷されている。包装箱は、被包装物である物品を段ボール製の箱にすっぽりと収容する形のものが多い。搬送時の衝撃から被包装物を保護するために、緩衝包装材を介して包装箱に被包装物を収容する場合も多い。
【０００３】
単一の包装箱に複数の被包装物を収容したり、包装箱と被包装物との間に間隙を設けて収容したりする場合には、包装箱の内部に、緩衝包装材が配置される。この緩衝包装材は、包装箱内の複数の被包装物が互いに衝突したり、包装箱が衝撃を受けて被包装物が大きく移動し、内壁に衝突したりしないように、緩衝作用をもたらすものである。このようにして緩衝包装材は、包装箱内に収容された被包装物を破損から保護している。
【０００４】
上記のような緩衝包装材の一例を、特許文献１に見ることができる。特許文献１に記載された梱包材（緩衝包装材）は、１枚の板材に対して、その外縁部を上方に折り曲げ、さらに内側に折り曲げることにより筒状の緩衝部材収納部（緩衝部）や側壁などを形成している。
【特許文献１】特開平５−２７８７６２号公報（第３頁、図４）
【発明の開示】
【発明が解決しようとする課題】
【０００５】
特許文献１に記載された梱包材（緩衝包装材）は、矩形をなす底面の部分から四方外側に突出した形で設けられた部分を備えた１枚の板材に対して、その外縁部を上方に、さらに内側に折り曲げることにより筒状の緩衝部材収納部（緩衝部）や側壁などを形成している。したがって、筒状の緩衝部材収納部を形成するためには、底面に相当する部分に対して外側に多くの板材を必要とする。その結果、包装箱内に被包装物を整然と収容することができ、且つ搬送時の衝撃から保護すべく緩衝部を形成すると、板材に掛かる資源やコストが大幅に増大する恐れがある。これにより、昨今推し進められている省資源化、低コスト化に反することとなる。被包装物に対する緩衝性能を十分に保持した上で、できるだけ省資源化が図られた形で緩衝包装材を構成する必要がある。
【０００６】
本発明は上記の点に鑑みなされたものであり、包装箱の内部に配置される緩衝包装材において、緩衝性能を十分に保持した上で、省資源化が図られた緩衝包装材を提供することを目的とする。
【課題を解決するための手段】
【０００７】
上記の課題を解決するため、本発明は、緩衝包装材において、矩形板状部材の対向する二辺の箇所を上方に折り曲げることにより形成した略垂直な側壁と、この側壁に直交する二辺の箇所を、前記矩形板状部材の略中央部から切り起こしにて上方に折り曲げ、さらに外側に向かって折り曲げることにより形成した緩衝部とを備えることとした。
【０００８】
また、上記構成の緩衝包装材において、前記緩衝部は、垂直断面形状がコ字状をなすこととした。
【０００９】
また、上記構成の緩衝包装材において、前記緩衝部は、筒状をなすこととした。
【００１０】
また、上記構成の緩衝包装材において、前記緩衝部は、前記側壁に向かって突出する係止片を備え、側壁は、この係止片を保持する係合孔を備えることとした。
【００１１】
また、上記構成の緩衝包装材は、対向する前記緩衝部の間において、対向する前記側壁の間に架け渡す形で連結された底面部を備えることとした。
【発明の効果】
【００１２】
本発明の構成によれば、緩衝包装材において、矩形板状部材の対向する二辺の箇所を上方に折り曲げることにより形成した略垂直な側壁と、この側壁に直交する二辺の箇所を、前記矩形板状部材の略中央部から切り起こしにて上方に折り曲げ、さらに外側に向かって折り曲げることにより形成した緩衝部とを備えることとしたので、緩衝部を形成するに際し、包装箱の底面に相当する部分に対して、外側に延びる板状部材を大幅に低減することができる。これにより、包装箱内に被包装物を整然と収容することができ、且つ搬送時の衝撃から保護することができる緩衝部を１枚の板状部材から形成する場合に、板状部材に掛かる資源やコストを大幅に抑制することが可能である。したがって、緩衝性能を十分に保持した上で、省資源化が図られた緩衝包装材を得ることができる。
【００１３】
また、前記緩衝部は、垂直断面形状がコ字状をなすこととしたので、できるだけ少量の板状部材を使用して、被包装物に対する緩衝性能が高い緩衝部を形成することが可能である。したがって、被包装物を保護する作用を十分考慮しながら、省資源化を一層高めることができる。
【００１４】
また、前記緩衝部は、筒状をなすこととしたので、被包装物に対する緩衝性能に関して、より一層効果的な緩衝部を形成することが可能である。したがって、省資源化が図られた緩衝包装材において、被包装物を保護する作用をさらに向上させることができる。
【００１５】
また、前記緩衝部は、前記側壁に向かって突出する係止片を備え、側壁は、この係止片を保持する係合孔を備えることとしたので、緩衝部の型崩れを防止することができる。これにより、被包装物に対する緩衝性能が低下するのを予防することが可能である。また、包装箱内において、被包装物を整然と配置することができ、意図せず内壁に衝突するのを防止することが可能である。したがって、省資源化を考慮しながら、被包装物を保護する作用を一層高めることができる。
【００１６】
また、対向する前記緩衝部の間において、対向する前記側壁の間に架け渡す形で連結された底面部を備えることとしたので、被包装物の底面方向、すなわち下方に対する保護作用を高めることが可能である。これにより、緩衝部における緩衝作用に加えて、さらに被包装物を衝撃から保護する効果を向上させることができる。
【発明を実施するための最良の形態】
【００１７】
以下、本発明の実施形態を図１〜図７に基づき説明する。
【００１８】
最初に、本発明の第１の実施形態に係る緩衝包装材について、図１〜図３を用いてその構成を説明する。図１は緩衝包装材全体の斜視図、図２は緩衝包装材の展開図、図３は図１のＡの箇所における緩衝包装材の緩衝部の垂直断面図である。
【００１９】
緩衝包装材１は、図１に示すように、その外形寸法が、直方体形状をなす包装箱１００の内部にぴったりと収まるように形成されている。緩衝包装材１は、対向する２箇所の略垂直な側壁１０と、この側壁１０に直交し、対向する２箇所の緩衝部２０とを備えている。これらの側壁１０及び緩衝部２０で包囲された緩衝包装材１の内部の収容空間に、被包装物である物品（図示せず）が収容される。
【００２０】
緩衝包装材１を展開すると、図２に示す展開図となる。緩衝包装材１は、展開した状態において略矩形の板状をなす部材であって、段ボールで構成されている。図２において、矩形板状部材の状態にある緩衝包装材１の左右方向長さが、包装箱１００の内側面の、一対の対向面の距離に略一致する。
【００２１】
緩衝包装材１の折り目１１で、その外側部分を上方に折り曲げることにより、図２における上下に位置する、対向する二辺の箇所に略垂直な側壁１０が形成される（図１参照）。側壁１０は、図２において左右に延びる長方形状をなす。
【００２２】
緩衝包装材１の折り目２１で、その内側部分、すなわち矩形板状部材の略中央部から切り起こしにて略垂直上方に折り曲げ、さらに折り目２２で外側に向かって略水平になるように折り曲げることにより、図２における左右に位置する、対向する二辺の箇所に緩衝部２０が形成される（図１参照）。緩衝部２０は、図１に示すように、横に倒した角形筒の、外側の垂直壁の箇所を開口した形状で構成され、垂直断面形状がコ字状をなしている（図３参照）。なお、対向する緩衝部２０の間であって、包装箱１００の内底面に相当する部分には空隙が設けられている。
【００２３】
図１に示すように、板状部材を折り曲げて形成した緩衝部２０の上部には、係止片２３が備えられている。係止片２３は、対向する２箇所の側壁１０各々に向かって突出する形で、各緩衝部２０に２個ずつ設けられている。係止片２３は、その付け根から外側に向かって広がる台形形状をなしている。
【００２４】
この係止片２３に対応して、側壁１０には、係合孔１２が備えられている。係合孔１２は、各々の側壁１０の、係止片２３に対応する両端近傍の箇所に設けられている。係合孔１２は、長方形状をなし、係止片２３を受け入れ可能な大きさで構成されている。
【００２５】
緩衝部２０を形成するときには、その形成の最終段階において、係止片２３を係合孔１２に挿入して保持し、緩衝部２０の形状を整える。
【００２６】
なお、緩衝部２０には、緩衝性能を調節するために、三角形状の切り抜き部２４が複数箇所に設けられている。
【００２７】
このようにして、緩衝包装材１は、矩形板状部材の対向する二辺の箇所を上方に折り曲げることにより形成した略垂直な側壁１０と、この側壁１０に直交する二辺の箇所を、前記矩形板状部材の略中央部から切り起こしにて上方に折り曲げ、さらに外側に向かって折り曲げることにより形成した緩衝部２０とを備えているので、緩衝部２０を形成するに際し、包装箱１００の底面に相当する部分に対して、外側に延びる板状部材を大幅に低減することができる。これにより、包装箱１００内に被包装物を整然と収容することができ、且つ搬送時の衝撃から保護することができる緩衝部２０を１枚の板状部材から形成する場合に、板状部材に掛かる資源やコストを大幅に抑制することが可能である。したがって、緩衝性能を十分に保持した上で、省資源化が図られた緩衝包装材１を得ることができる。
【００２８】
また、緩衝部２０は、垂直断面形状がコ字状をなしているので、できるだけ少量の板状部材を使用して、被包装物に対する緩衝性能が高い緩衝部２０を形成することが可能である。したがって、被包装物を保護する作用を十分考慮しながら、省資源化を一層高めることができる。
【００２９】
そして、緩衝部２０は、側壁１０に向かって突出する係止片２３を備え、側壁１０は、この係止片２３を保持する係合孔１２を備えているので、緩衝部２０の型崩れを防止することができる。これにより、被包装物に対する緩衝性能が低下するのを予防することが可能である。また、包装箱１００内において、被包装物を整然と配置することができ、意図せず内壁に衝突するのを防止することが可能である。したがって、省資源化を考慮しながら、被包装物を保護する作用を一層高めることができる。
【００３０】
なお、緩衝部２０は、垂直断面形状が、図３に示したような折り目２１、２２が直角となるコ字状に限定されず、折り目２１、２２が鋭角または鈍角となるコ字状をも含む。
【００３１】
次に、本発明の第２の実施形態に係る緩衝包装材について、図４〜図６を用いてその構成を説明する。図４は緩衝包装材全体の斜視図、図５は緩衝包装材の展開図、図６は図４のＢの箇所における緩衝包装材の緩衝部の垂直断面図である。なお、この実施形態の基本的な構成は、図１〜図３を用いて説明した前記第１の実施形態と同じであるので、第１の実施形態と共通する構成要素には前と同じ符号を付し、説明は省略するものとする。
【００３２】
第２の実施形態に係る緩衝包装材１では、図４及び図６に示すように、緩衝部２０が、横に倒した角形筒状で構成されている。この緩衝部２０は、図５に示すように矩形板状部材に展開した緩衝包装材１の折り目２１で、その内側部分、すなわち矩形板状部材の略中央部から切り起こしにて略垂直上方に折り曲げ、さらに折り目２２で外側に向かって略水平になるように折り曲げ、さらに折り目２５で下方に向かって折り曲げることにより、図５における左右に位置する、対向する二辺の箇所に形成される（図４参照）。
【００３３】
このようにして、緩衝部２０は、筒状をなすこととしたので、被包装物に対する緩衝性能に関して、より一層効果的な緩衝部２０を形成することが可能である。したがって、省資源化が図られた緩衝包装材１において、被包装物を保護する作用をさらに向上させることができる。
【００３４】
なお、緩衝部２０は、垂直断面形状が、図６に示したような正方形の筒状に限定されず、長方形や台形、または三角形以外に、五角形以上の多角形の筒状をも含む。
【００３５】
次に、本発明の第３の実施形態に係る緩衝包装材について、図７を用いてその構成を説明する。図７は、緩衝包装材全体の斜視図である。なお、この実施形態の基本的な構成は、図１〜図３を用いて説明した前記第１の実施形態と同じであるので、第１の実施形態と共通する構成要素には前と同じ符号を付し、説明は省略するものとする。
【００３６】
第３の実施形態に係る緩衝包装材１は、図７に示すように、底部中央に底面部３０を備えている。この底面部３０は、対向する緩衝部２０の間において、対向する側壁１０の間に架け渡す形で連結されて構成されている。底面部３０の外底面は、包装箱１００の内底面に当接する。
【００３７】
このようにして、緩衝包装材１は、対向する緩衝部２０の間において、対向する側壁１０の間に架け渡す形で連結された底面部３０を備えているので、被包装物の底面方向、すなわち下方に対する保護作用を高めることが可能である。これにより、緩衝部２０における緩衝作用に加えて、さらに被包装物を衝撃から保護する効果を向上させることができる。
【００３８】
以上、本発明の実施形態につき説明したが、本発明の範囲はこれに限定されるものではなく、発明の主旨を逸脱しない範囲で種々の変更を加えて実施することができる。
【産業上の利用可能性】
【００３９】
本発明は、被包装物である物品を包装するための包装箱の内部に配置される緩衝包装材全般において利用可能である。
【図面の簡単な説明】
【００４０】
【図１】本発明の第１の実施形態に係る緩衝包装材全体の斜視図である。
【図２】図１に示す緩衝包装材の展開図である。
【図３】図１のＡの箇所における緩衝包装材の緩衝部の垂直断面図である。
【図４】本発明の第２の実施形態に係る緩衝包装材全体の斜視図である。
【図５】図４に示す緩衝包装材の展開図である。
【図６】図４のＢの箇所における緩衝包装材の緩衝部の垂直断面図である。
【図７】本発明の第３の実施形態に係る緩衝包装材全体の斜視図である。
【符号の説明】
【００４１】
１    緩衝包装材
１０  側壁
１１  折り目
１２  係合孔
２０  緩衝部
２１、２２、２５  折り目
２３  係止片
２４  切り抜き部
３０  底面部
１００  包装箱
【図１】
2008265842.tif 000003
【図２】
2008265842.tif 000004
【図３】
2008265842.tif 000005
【図４】
2008265842.tif 000006
【図５】
2008265842.tif 000007
【図６】
2008265842.tif 000008
【図７】
2008265842.tif 000009